(57)【特許請求の範囲】
【請求項１】
プランジャ挿通孔（２ｂ）が形成され、フランジ（２ｄ）を有するボビン（２）と、上記ボビンのプランジャ挿通孔内に配置される円筒形のスリーブ（３）と、上記ボビンに巻回され、電流が供給されると磁気を発生するソレノイドコイル（４）と、上記ソレノイドコイルの端部に電気的に接続されるとともに外部回路に接続され、上記フランジに保持されたコイル端子（５，６）と、上記ボビン及びソレノイドコイルを囲んで上記ソレノイドコイルの外側に配置され、上記ソレノイドコイルが発生した磁気を通す磁気フレーム（７）と、上記スリーブ内に配置され、上記磁気フレームを通る磁気により戻しばね（９）に抗して移動されるプランジャ（８）と、上記ソレノイドコイルの外側を覆うケース（１０）とを備えているソレノイドにおいて、上記ケースには上記磁気フレームに係止される一対のフレーム係止部（１０ａ５，１０ａ６）が突出状に形成され、かつ上記ケースには、上記ボビンのフランジに断面逆台形で凸状に形成された一対のケース取付部（２ｄ５，２ｄ６）に係止される一対のボビン係止部（１０ａ３、１０ａ４）が切欠き状に形成され、上記ボビンのフランジには、上記ケースの一対のボビン係止部（１０ａ３、１０ａ４）を係止するケース取付部（２ｄ５，２ｄ６）が断面逆台形で凸状に形成されていることを特徴とするソレノイド。
【請求項２】
上記磁気フレームは 、フレーム本体（７ａ）及び第１、第２のフレーム側板（７ｂ、７ｃ）により断面コ字形に形成され、上記スリーブは上記第２のフレーム側板（７ｃ）を貫通して配置され、上記ケースには上記フレーム側板を貫通した上記スリーブに力を加えて覆う蓋形のスリ−ブ係止部（１０ａ７）が一体に形成されていることを特徴とする請求項１記載のソレノイド。
【請求項３】
プランジャ挿通孔（２ｂ）が形成され、フランジ（２ｄ）を有するボビン（２）と、上記ボビンのプランジャ挿通孔内に配置される円筒形のスリーブ（３）と、上記ボビンに巻回され、電流が供給されると磁気を発生するソレノイドコイル（４）と、上記ソレノイドコイルの端部に電気的に接続されるとともに外部回路に（接続され、上記フランジに保持されたコイル端子（５，６）と、上記ボビン及びソレノイドコイルを囲んで上記ソレノイドコイルの外側に配置され、上記ソレノイドコイルが発生した磁気を通す磁気フレーム（７）と、上記スリーブ内に配置され、上記磁気フレームを通る磁気により戻しばね（９）に抗して移動されるプランジャ（８）と、上記ソレノイドコイルの外側を覆うケース（１０）とを備えているソレノイドにおいて、上記ケースには上記磁気フレームに係止される一対のフレーム係止部（１０ａ５，１０ａ６）が突出状に形成され、かつ上記ケースには、上記ボビンのフランジに凸状に形成された第1の一対のケース取付部（２ｄ３，２ｄ４）に係止される第1の一対のボビン係止部（１０ａ１、１０ａ１）が孔状に形成されるとともに、上記ケースには、上記ボビンのフランジに断面逆台形で凸状に形成された一対の第２のケース取付部（２ｄ５，２ｄ６）に係止される第２の一対のボビン係止部（１０ａ３、１０ａ４）が切欠き状に形成され、上記ボビンのフランジには、上記ケースの第１の一対のボビン係止部（１０ａ１、１０ａ２）を係止する第１のケース取付部（２ｄ３，２ｄ４）が凸状に形成され、第２の一対のボビン係止部（１０ａ３、１０ａ４）を係止する第２のケース取付部（２ｄ５，２ｄ６）が断面逆台形で凸状に形成されていることを特徴とするソレノイド。
【請求項４】
上記磁気フレームは 、フレーム本体（７ａ）及び第１、第２のフレーム側板（７ｂ、７ｃ）により断面コ字形に形成され、上記スリーブは上記第２のフレーム側板（７ｃ）を貫通して配置され、上記ケースには上記フレーム側板を貫通した上記スリーブに力を加えて覆う蓋形のスリ−ブ係止部（１０ａ７）が一体に形成されていることを特徴とする請求項３記載のソレノイド。
【発明の詳細な説明】
【０００１】
【産業上の利用分野】
この発明は、キーシリンダに差し込まれているイグニションキーの位置に応じてオートマチックトランスミッションのセレクトレバーを切換え可能としたり、切換え不能としたりするのに利用されるシフトロック用のソレノイドに関する。
【０００２】
【従来の技術】
キーシリンダに差し込まれているイグニションキーの位置に応じてオートマチックトランスミッションのセレクトレバーを切換え可能としたり、切換え不能とするシフトロック用のソレノイドとしては、電源をソレノイドコイルに接続することによって、ソレノイドコイルを外側に形成したボビン内に配置されたプランジャと、ソレノイドコイルの外側に配置された磁気フレームとを通る磁気が発生し、この磁気によってプランジャを吸引移動させ、プランジャに結合したシフトロック機構をロック側に切換え作動させてセレクトレバーが無作為に切換えられないようにしているものが知られている。
【０００３】
上記したようなソレノイドは、図８に示されるように、ソレノイドコイル５１を設けたボビン５２の外側がコ字形のケース５３によって覆われ、ボビン５２の端部を覆うカバー５４がフレーム５５の端部に取付られていた。ケース５３はボビン５２の外側に配置されたソレノイドコイル５１の巻線を保護するために用いられ、カバー５４はケース５３とは独立して形成されていてボビン５２内で移動するプランジャ５７を支持する筒状のスリーブ５６を押さえるために用いられている。
【０００４】
【発明が解決しようとする課題】
上記したようなソレノイドでは、ケース５３およびカバー５４が別体に形成され、それぞれ別所に取付けられているため、部品点数の増大を招く原因となりうるとともに、組付けの作業性が良いとは言えず、組付け後にケース５３やカバー５４にがたつきを生じやすく、スリーブ５６を押さえるためのカバー５４にがたつきがあると作動音が静粛なものとなりにくいという問題点があった。
【０００５】
【発明の目的】
この発明に係わるソレノイドは、部品点数を減少させ、極めて簡単にがたつきなく組み付けられて作動音の低減を図れるソレノイドを提供することを目的としている。
【０００６】
【発明の構成】
【０００７】
【課題を解決するための手段】
この発明の請求項１に係わるソレノイドは、プランジャ挿通孔が形成され、フランジを有するボビンと、上記ボビンのプランジャ挿通孔内に配置される円筒形のスリーブと、上記ボビンに巻回され、電流が供給されると磁気を発生するソレノイドコイルと、上記ソレノイドコイルの端部に電気的に接続されるとともに外部回路に接続され、上記フランジに保持されたコイル端子と、上記ボビン及びソレノイドコイルを囲んで上記ソレノイドコイルの外側に配置され、上記ソレノイドコイルが発生した磁気を通す磁気フレームと、上記スリーブ内に配置され、上記磁気フレームを通る磁気により戻しばねに抗して移動されるプランジャと、上記ソレノイドコイルの外側を覆うケースとを備えているソレノイドにおいて、上記ケースには上記磁気フレームに係止される一対のフレーム係止部が突出状に形成され、かつ上記ケースには、上記ボビンのフランジに断面逆台形で凸状に形成された一対のケース取付部に係止される一対のボビン係止部が切欠き状に形成され、上記ボビンのフランジには、上記ケースの一対のボビン係止部を係止するケース取付部が断面逆台形で凸状に形成されている構成としたことを特徴としている。
この発明の請求項２に係わるソレノイドでは、請求項１に係るソレノイドに於いて、上記磁気フレームは 、フレーム本体及び第１、第２のフレーム側板により断面コ字形に形成され、上記スリーブは上記第２のフレーム側板を貫通して配置され、上記ケースには上記フレーム側板を貫通した上記スリーブに力を加えて覆う蓋形のスリ−ブ係止部が一体に形成されている構成としたことを特徴としている。
この発明の請求項３に係わるソレノイドでは、プランジャ挿通孔が形成され、フランジを有するボビンと、上記ボビンのプランジャ挿通孔内に配置される円筒形のスリーブと、上記ボビンに巻回され、電流が供給されると磁気を発生するソレノイドコイルと、上記ソレノイドコイルの端部に電気的に接続されるとともに外部回路に（接続され、上記フランジに保持されたコイル端子と、上記ボビン及びソレノイドコイルを囲んで上記ソレノイドコイルの外側に配置され、上記ソレノイドコイルが発生した磁気を通す磁気フレームと、上記スリーブ内に配置され、上記磁気フレームを通る磁気により戻しばねに抗して移動されるプランジャと、上記ソレノイドコイルの外側を覆うケースとを備えているソレノイドにおいて、上記ケースには上記磁気フレームに係止される一対のフレーム係止部が突出状に形成され、かつ上記ケースには、上記ボビンのフランジに凸状に形成された第1の一対のケース取付部に係止される第1の一対のボビン係止部が孔状に形成されるとともに、上記ケースには、上記ボビンのフランジに断面逆台形で凸状に形成された一対の第２のケース取付部に係止される第２の一対のボビン係止部が切欠き状に形成され、上記ボビンのフランジには、上記ケースの第１の一対のボビン係止部を係止する第１のケース取付部が凸状に形成され、第２の一対のボビン係止部を係止する第２のケース取付部が断面逆台形で凸状に形成されている構成としたことを特徴としている。
この発明の請求項４に係わるソレノイドでは、請求項３記載のソレノイドに於いて、上記磁気フレームは 、フレーム本体及び第１、第２のフレーム側板により断面コ字形に形成され、上記スリーブは上記第２のフレーム側板を貫通して配置され、上記ケースには上記フレーム側板を貫通した上記スリーブに力を加えて覆う蓋形のスリ−ブ係止部が一体に形成されている構成としたことを特徴としている。
【０００８】
【発明の作用】
この発明の請求項１に係わるソレノイドにおいて、ケースはソレノイドコイルの外側を覆い、ケースの取付手段はスリーブに係止してボビンまたは磁気フレームに係止されるため、円筒形スリーブに対してボビン側および磁気フレーム側に応力がかけられ、単一の部品によってワンタッチで組付けられるものとなるので、がたつきが発生する可能性も低い。また、ケースの取付部は、ボビン係止部がボビンの一端側でボビンに係止されるとともにフレーム係止部がボビンの他端側で磁気フレームに係止され、ケース取付部が一対のボビン係止部によってワンタッチで組付けられるものとなるので、がたつきが発生する可能性も低い。
この発明の請求項２に係わるソレノイドにおいて、ケースの取付部は、第１のボビン係止部がボビンの第１のフランジ側で第１のケース取付部に係止され、第２のボビン係止部がボビンの第２のフランジ側で第２のケース取付部に係止され、スリーブ係止部がボビンの第２のフランジ側において円筒形のスリーブの開口端部を覆うため、円筒形のスリーブに対してボビン側および磁気フレーム側に応力がかけられ、単一の部品によってワンタッチで組付けられるものとなるので、がたつきが発生する可能性も低い。
この発明の請求項３に係わるソレノイドにおいて、ケースの取付部は、対向位置にある第１のボビン係止部がボビンの第１のフランジ側で第１のケース取付部に係止され、対向位置にある第２のボビン係止部がボビンの第２のフランジ側で第２のケース取付部に係止され、対向位置にあるフレーム係止部がボビンの第２のフランジ側で第２のフレーム側板に係止され、スリーブ係止部がボビンの第２のフランジ側において円筒形のスリーブの開口端部を覆うため、円筒形のスリーブに対してボビン側および磁気フレーム側に応力がかけられ、単一の部品によってワンタッチで組付けられるものとなるので、がたつきが発生する可能性も低い。
この発明の請求項４に係わるソレノイドにおいて、上記磁気フレームは 、フレーム本体及び第１、第２のフレーム側板により断面コ字形に形成され、上記スリーブは上記第２のフレーム側板を貫通して配置され、上記ケースには上記フレーム側板を貫通した上記スリーブに力を加えて覆う蓋形のスリ−ブ係止部が一体に形成されているのでソレノイドが、がたつきを発生する可能性も低い。
【０００９】
【実施例】
図１ないし図７にはこの発明に係わるソレノイドの実施例が示されている。
【００１０】
図示するソレノイド１は、主として、ボビン２、スリーブ３、ソレノイドコイル４、コイル端子５，６、磁気フレーム７、プランジャ８、戻しばね９、ケース１０から構成されている。
【００１１】
ボビン２は、樹脂成形されており、円筒形状の本体２ａの中央に設けられたプランジャ挿通孔２ｂ内に円筒形状のスリーブ３が組込まれている。
【００１２】
また、ボビン２は、本体２ａの外周がコイル巻回部２ｃになっているため、このコイル巻回部２ｃにコイル線４ａを巻回したソレノイドコイル４が設けられている。
【００１３】
そして、ボビン２は、本体２ａの一方の端部に第１のフランジ２ｄが形成されているとともに、本体２ａの他方の端部に第２のフランジ２ｅが形成されている。第１のフランジ２ｄは、これと対向して配置された第２のフランジ２ｅよりも肉厚が大きい。
【００１４】
第１のフランジ２ｄには、この第１のフランジ２ｄの一端から他端まで角孔状に貫通した第１のコイル端子取付部２ｄ１、第２のコイル端子取付部２ｄ２がそれぞれ形成されており、各コイル端子取付部２ｄ１、２ｄ２は第１のフランジ２ｄ上に形成されている。各コイル端子取付部２ｄ１、２ｄ２には後述する第１、第２のコイル端子５、６に備えた第１、第２のコイル側接続部５ａ、６ａが図１中の上方である第１の方向からそれぞれ押圧挿着される。
【００１５】
また、第１のフランジ２ｄには外部コネクタ挿入用ガイド２ｋが図１中の下方に向けて一体的に突出形成されており、この外部コネクタ挿入用ガイド２ｋと第１のフランジ２ｄのあいだに素子支持部２ｈが形成されている。
【００１６】
素子支持部２ｈは、抵抗やダイオードなどのサージ電流除去用の素子１１が図１中の左から右方向（第１の方向）に素子支持部２ｈ内に挿入されると、素子１１に備えたリード部１１ａ、１１ａを支持する機能を有する。
【００１７】
外部コネクタ挿入用ガイド２ｋは、図１中の下側が開放された矩形状をなしていて、内側に有する矩形状の空間に、図示しない外部コネクタが挿入可能になっている。
【００１８】
外部コネクタ挿入用ガイド２ｋの上面には、図４に示されるように、第１のフランジ２ｄ側から上面のほぼ中央部分までスリット状に並べて切除された２個所の端子挿通部２ｍ、２ｎが形成されている。端子挿通部２ｍ、２ｎは素子支持部２ｈおよび外部コネクタ挿入用ガイド２ｋの内側に連通されているため、後述する第１のコイル端子５、第２のコイル端子６に備えた外部側接続部５ｂ、６ｂを外部コネクタ挿入用ガイド２ｋの第１の方向から内側にそれぞれ挿入可能とする機能を有する。
【００１９】
また、第１のフランジ２ｄには、図５に示されるように、第１のケース取付部２ｄ３、２ｄ４および第２のケース取付部２ｄ５、２ｄ６が相対向する側部の対称位置に形成されている。
【００２０】
第１のケース取付部２ｄ３、２ｄ４は、矩形の凸部状に形成されており、第１のケース取付部２ｄ３、２ｄ４は、後述するケース１０のボビン係止部１０ａに備えられた第１のボビン係止部１０ａ１、１０ａ２が係止される。
【００２１】
第２のケース取付部２ｄ５、２ｄ６は、逆台形の凸状に形成されており、第２のケース取付部２ｄ５、２ｄ６は、後述するケース１０のボビン係止部１０ａに備えられた第２のボビン係止部１０ａ３、１０ａ４が係止される。
【００２２】
ボビン２の第１のコイル端子取付部２ｄ１に挿着される第１のコイル端子５は、幅寸法が比較的小さい板状をなす導電材を素材としており、一端側に配置された外部側接続部５ｂが他端側に配置されたコイル側接続部５ａに対し略直交するＬ字形に形成されている。
【００２３】
また、第１のコイル端子５には、外部側接続部５ｂおよびコイル側接続部５ａのほぼ中間において外部側接続部５ｂの基端の一端側からコイル側接続部５ａの延出方向に突出した素子接続部５ｃが形成されている。
【００２４】
ボビン２の第２のコイル端子取付部２ｄ２に挿着される第２のコイル端子６は、第１のコイル端子５と同様に幅寸法が比較的小さい板状をなす導電材を素材としており、一端側に配置された外部側接続部６ｂが他端側に配置されたコイル側接続部６ａに対し略直交するＬ字形に形成されている。
【００２５】
第２のコイル端子６は、外部側接続部６ｂおよびコイル側接続部６ａのほぼ中間において外部側接続部６ｂの基端の一端側からコイル側接続部６ａの延出方向に突出した素子接続部６ｃが形成されている。
【００２６】
素子１１は、図６に示されるように、ボビン２の素子支持部２ｈ内に挿入されることによって、素子支持部２ｈ内に支持されるため、この状態において、第１、第２のコイル端子５、６のコイル側接続部５ａ、６ａを第１の方向からボビン２の第１、第２のコイル端子取付部２ｄ１、２ｄ２にそれぞれ押圧挿入していくと、外部側接続部５ｂ、６ｂが外部コネクタ挿入用ガイド２ｋの端子挿通部２ｍ、２ｎを介して外部コネクタ挿入用ガイド２ｋ内に配置されるとともに、素子接続部５ｃ、６ｃが第１のフランジ２ｄおよび外部コネクタ挿入用ガイド２ｋのあいだにそれぞれ挿入されていき、図７に示されるように、素子接続部５ｃ、６ｃが素子支持部２ｈに抜け止められて係止される。
【００２７】
ボビン２の第１、第２のコイル取付部２ｄ１、２ｄ２に押圧挿着された第１、第２のコイル端子５、６のコイル側接続部５ａ、６ａは、先端に備えられたからげ部５ａ１、６ａ１が第１のフランジ２ｄの外側にわずかに突出するため、このからげ部５ａ１、６ａ１はコイル巻回部２ｃ側に折り曲げられてソレノイドコイル４のコイル線４ａの端部がそれぞれ電気的に接続される。
【００２８】
また、第１、第２のコイル端子５、６は、素子接続部５ｃ、６ｃが素子支持部２ｈに係止されることによって、素子１１の各リード部１１ａ、１１ａに対し半田付け等の接続手段なしに確実に電気的に接続される。
【００２９】
プランジャ８は、磁性材によって円柱形に形成されており、一端側に設けられた出力部材取付け孔８ａにオーリング（Ｏリング）１２を介して棒状をなす出力部材１３が固着されている。この出力部材１３は図示しないオートマチックトランスミッションのシフトロック機構に結合される。プランジャ８の他端側には凹状の穴８ｂが設けられている。
【００３０】
プランジャ８の他端側にはねじりコイルばねである戻しばね９の一端が係止されており、戻しばね９の他端は磁性材製のボトム１４に係止されている。ボトム１４は、プランジャ８とほぼ同一の外径寸法を有する磁性材製のものであって、プランジャ８側に形成された凸部１４ａがプランジャ８の穴８ｂに収納可能になっており、端部に形成された軸部１４ｂが後述する磁気フレーム７に固着される。
【００３１】
プランジャ８、戻しばね９、ボトム１４は、円筒の非磁性材製のスリーブ３内に配置されている。このスリーブ３内でボトム１４は他端側に配置され、プランジャ８は一端側に配置され、戻しばね９はボトム１４とプランジャ８の間に配置されているため、プランジャ８は戻しばね９の弾性反発力によってスリーブ３の一端に向け、ボトム１４から予め定められた距離を置いて付勢されている。
【００３２】
ボビン２の外側には磁気フレーム７が配置されている。磁気フレーム７は、平板状をなすフレーム本体７ａと、このフレーム本体７ａの両端にフレーム本体７ａとコ字状をなして形成された第１、第２のフレーム側板７ｂ、７ｃとが磁性材を素材として成形されている。
【００３３】
フレーム本体７ａの一端側に配置された第１のフレーム側板７ｂのほぼ中央には第１のスリーブ支持孔７ｂ１が設けられているため、この第１のスリーブ支持孔７ｂ１にボトム１４を収容したスリーブ３の一端側が係止されている。
【００３４】
また、フレーム本体７ａの他端側に配置された第２のフレーム側板７ｃのほぼ中央には第２のスリーブ支持孔７ｃ１が設けられているため、この第２のスリーブ支持孔７ｃ１にスリーブ３の他端側が係止されている。スリーブ３の一端は第２のフレーム側板７ｃからボビン２の第２のフランジ２ｅ側とは反する外側に突出している。
【００３５】
フレーム本体７ａには構造材固定用のねじ孔７ｄが２個所に形成されている。ねじ孔７ｄは、図２に示されるように、フレーム本体７ａの上面に形成された第１の孔部７ｄ１と、この第１の孔部７ｄ１から下面に連通したものとして第１の孔部７ｄ１の内径寸法よりも小さい内径寸法に形成された第２の孔部７ｄ２とが備えられている。
【００３６】
第１の孔部７ｄ１は、フレーム本体７ａにこのフレーム本体７ａの厚さ方向に深さ寸法を有するものとして加圧成形されている。
【００３７】
そして、第２の孔部７ｄ２は、第１の孔部７ｄ１に連通するものとして打ち抜き成形されているため、第２の孔部７ｄ２はフレーム本体７ａの板厚寸法から第１の孔部７ｄ１の深さ寸法を引いた長さ寸法を有するものとなるので、第２の孔部７ｄ２の内径寸法が第２の孔部７ｄ２のある部分の板厚寸法に対して大きく成形されていても、フレーム本体７ａの板厚寸法よりも小さい値に定められる。
【００３８】
第２の孔部７ｄ２には雌ねじ７ｇがタッピングによって成形されている。雌ねじ７ｇには、図１に示されるように、フレーム本体７ａの下面に当接される構造材４０のねじ穴４０ａを介してビス４１がねじ込まれ、ビス４１によってソレノイド１は構造材４０に固定される。ビス４１が第２の孔部７ｄ２にねじ込まれた状態で、第２の孔部７ｄ２の第１の孔部７ｄ１側に第２の孔部７ｄ２の内径寸法よりも大きい内径寸法の空間が設けられているため、第２の孔部７ｄ２の第１の孔部７ｄ１側の端部に打ち抜き成形やタッピングの際のばりが発生していたとしても、そのばりは空間内に配置されてフレーム本体７ａの上面上に突出することはない。磁気フレーム７およびボビン２は樹脂製のケース１０によって外側が覆われている。
【００３９】
ケース１０は、樹脂を素材としてボビン２に設けられたソレノイドコイル４の外側を覆うとともに、磁気フレーム７の第２のフレーム側板７ｃから突出したスリーブ３の他端を覆う形状をなす。
【００４０】
ケース１０は、図１中のケース天板１０ｂの両側に第１のケース側板１０ｃ、第２のケース側板１０ｄが形成され、ケース天板１０ｂの端部に第３のケース側板１０ｅが第１、第２のケース側板１０ｃ、１０ｄに連設されている。
【００４１】
第１、第２のケース側板１０ｃ、１０ｄは対向して配置されており、対向する第１、第２のケース側板１０ｃ、１０ｅに取付手段１０ｆとなるボビン係止部１０ａの一部を構成する第１のボビン係止部１０ａ１、１０ａ２および第２のボビン係止部１０ａ３、１０ａ４と、取付手段１０ｆとなるフレーム係止部１０ａ５、１０ａ６とがそれぞれ形成されている。
【００４２】
第１のボビン係止部１０ａ１、１０ａ２は、図３に示されるように、ボビン２の第１のフランジ２ｄ側において第１のケース側板１０ｃおよび第２のケース側板１０ｄ上に孔状にそれぞれ形成されているため、ボビン２の第１のケース取付部２ｄ３、２ｄ４がそれぞれ係止される。第１のボビン係止部１０ａ１、１０ａ２がボビン２の第１のケース取付部２ｄ３、２ｄ４に係止されることによって、図４に示されるように、ケース１０はボビン２の第１のフランジ２ｄ側から第２のフランジ２ｅに向けて移動不能に取付けられる。
【００４３】
第２のボビン係止部１０ａ３、１０ａ４は、図３に示されるように、ボビン２の第１のフランジ２ｄ側において、第１のボビン係止部１０ａ１、１０ａ２の下方側に離れた第１のケース側板１０ｃおよび第２のケース側板１０ｄ上に切欠状にそれぞれ形成されているため、ボビン２の第２のケース取付部２ｄ５、２ｄ６がそれぞれ係止される。第２のボビン係止部１０ａ３、１０ａ４がボビン２の第２のケース取付部２ｄ５、２ｄ６に係止されることによって、図５に示されるように、ケース１０はボビン２と第１、第２のケース側板１０ｃ、１０ｄとの間に隙間ができないように移動不能に取付けられる。
【００４４】
フレーム係止部１０ａ５、１０ａ６は、図４に示されるように、ボビン２の第２のフランジ２ｅ側において第１のケース側板１０ｃおよび第２のケース側板１０ｄの内側に突出状に形成されているため、磁気フレーム７の第２のフレーム側板７ｃにそれぞれ係止される。フレーム係止部１０ａ５、１０ａ６が磁気フレーム７の第２のフレーム側板７ｃに係止されることによって、ケース１０はボビン２の第１のフランジ２ｄ側から第２のフランジ２ｅに向けて移動不能に取付けられる。
【００４５】
第１、第２のケース側板１０ｃ、１０ｄに連設された第３のケース側板１０ｅの中央には、取付手段１０ｆとなるスリーブ係止部１０ａ７が形成されている。スリーブ係止部１０ａ７は第２のフレーム側板７ｃから突出しているスリーブ３の他端の開口を覆う蓋形をなすため、第２のフレーム側板７ｃから突出しているスリーブ３の他端側に係止される。スリーブ係止部１０ａ７がスリーブ３の他端側に係止され、このスリーブ係止部１０ａ７に連続的に第１、第２のケース側板１０ｃ、１０ｄに形成されたフレーム係止部１０ａ５、１０ａ６が磁気フレーム７の第２のフレーム側板７ｃに係止され、さらに、第１、第２のケース側板１０ｃ、１０ｄに形成された第１のボビン係止部１０ａ１、１０ａ２がボビン２の第１のフランジ２ｄにおいて第１のケース取付部２ｄ３、２ｄ４に係止されているため、スリーブ係止部１０ａ７はスリーブ３に対してボビン２側および磁気フレーム７側に応力をかけるものとなる。応力がかけられたスリーブ３は磁気フレーム７の第２のフレーム側板７ｃに強固に組付けられるためがたつきを生ずることはない。第３のケース側板１０ｅの中央には出力部材１３を挿通させるための丸孔１０ｅ１が形成されている。
【００４６】
このような構造を有するソレノイド１は、外部コネクタ挿入用ガイド４ｋに図示しない外部コネクタが挿着されることによって第１、第２のコイル端子５、６の外部側接続部５ｂ、６ｂが外部配線に電気的に接続され、外部配線を介してシフトロックコントローラに電気的に接続される。シフトロックコンローラは、イグニションスイッチがオン位置にあってセレクトレバーがパーキング位置にあるか、あるいはブレーキペダルが踏まれていない状態であると、第１、第２のコイル端子５、６に電流を供給し、上記の条件が揃わないと第１、第２のコイル端子５、６への電流供給は行わないため、第１、第２のコイル端子５、６に電流が供給されると、ソレノイドコイル４は励磁され、ソレノイドコイル４によって発生した磁力が磁気フレーム７のフレーム本体７ａ、第１のフレーム側板７ｂ、プランジャ８、ボトム１４、磁気フレーム７の第２の側板７ｃ、磁気フレーム７のフレーム本体７ａを通るので、プランジャ８は戻しばね９の弾性力に抗してボトム１４側に吸引移動され、プランジャ８がボトム１４側に移動されることによって出力部材１３もボトム１４側に移動されるため、シフトロック機構をロックの状態としてセレクトレバーをロックさせてセレクトレバーを無作為に切り替ることができないようにするものとなる。
【００４７】
【発明の効果】
以上説明してきたように、この発明の請求項１に係わるソレノイドによれば、ケースはソレノイドコイルの外側を覆い、ケースの取付手段はスリーブに係止してボビンまたは磁気フレームに係止されるため、円筒形スリーブに対してボビン側および磁気フレーム側に応力がかけられ、単一の部品によってワンタッチで組付けられるものとなるので、がたつきが発生する可能性も低い。また、ケースの取付部は、ボビン係止部がボビンの一端側でボビンに係止されるとともにフレーム係止部がボビンの他端側で磁気フレームに係止され、ケース取付部が一対のボビン係止部によってワンタッチで組付けられるものとなるので、がたつきが発生する可能性も低いという効果がある。
この発明の請求項２に係わるソレノイドにおいて、ケースの取付部は、第１のボビン係止部がボビンの第１のフランジ側で第１のケース取付部に係止され、第２のボビン係止部がボビンの第２のフランジ側で第２のケース取付部に係止され、スリーブ係止部がボビンの第２のフランジ側において円筒形のスリーブの開口端部を覆うため、円筒形のスリーブに対してボビン側および磁気フレーム側に応力がかけられ、単一の部品によってワンタッチで組付けられるものとなるので、がたつきが発生する可能性も低いという効果がある。
この発明の請求項３に係わるソレノイドにおいて、ケースの取付部は、対向位置にある第１のボビン係止部がボビンの第１のフランジ側で第１のケース取付部に係止され、対向位置にある第２のボビン係止部がボビンの第２のフランジ側で第２のケース取付部に係止され、対向位置にあるフレーム係止部がボビンの第２のフランジ側で第２のフレーム側板に係止され、スリーブ係止部がボビンの第２のフランジ側において円筒形のスリーブの開口端部を覆うため、円筒形のスリーブに対してボビン側および磁気フレーム側に応力がかけられ、単一の部品によってワンタッチで組付けられるものとなるので、がたつきが発生する可能性も低いという効果がある。
この発明の請求項４に係わるソレノイドにおいて、上記磁気フレームは 、フレーム本体及び第１、第２のフレーム側板により断面コ字形に形成され、上記スリーブは上記第２のフレーム側板を貫通して配置され、上記ケースには上記フレーム側板を貫通した上記スリーブに力を加えて覆う蓋形のスリ−ブ係止部が一体に形成されているのでソレノイドが、がたつきを発生する可能性も低いという効果がある。
それ故、この発明に係わるソレノイドによれば、部品点数を減少させ、極めて簡単にがたつきなく組み付けられて作動音の低減を図れるという優れた効果を奏する。
【図面の簡単な説明】
【図１】この発明に係わるソレノイドの車体取付け状態の縦断側面図である。
【図２】図１に示したソレノイドの底面図である。
【図３】図１に示したソレノイドにおいてのボビンと磁気フレームとケースとの組付け状態を説明する側面図である。
【図４】図３に示したボビンと磁気フレームとケースとの組付け状態の横断面図である。
【図５】図３に示したボビンと磁気フレームとケースとの組付け状態の縦断面図である。
【図６】図１に示したソレノイドにおいてのボビンと素子とコイル端子との組付け関係を説明する縦断側面図である。
【図７】図１に示したソレノイドにおいてのボビンと素子とコイル端子との組付け関係を説明する縦断側面図である。
【図８】従来のソレノイドの側面図である。
【符号の説明】
１        ソレノイド
２        ボビン
２ｂ      プランジャ挿通孔
２ｄ      第１のフランジ
２ｄ３    第１のケース取付部
２ｄ４    第１のケース取付部
２ｄ５    第２のケース取付部
２ｄ６    第２のケース取付部
２ｅ      第２のフランジ
３        スリーブ
４        ソレノイドコイル
５        （コイル端子）第１のコイル端子
６        （コイル端子）第２のコイル端子
７        磁気フレーム
７ｂ      第１のフレーム側板
７ｃ      第２のフレーム側板
８        プランジャ
９        戻しばね
１０      ケース
１０ａ    ボビン係止部
１０ａ１  第１のボビン係止部
１０ａ２  第１のボビン係止部
１０ａ３  第２のボビン係止部
１０ａ４  第２のボビン係止部
１０ａ５  フレーム係止部
１０ａ６  フレーム係止部
１０ａ７  スリーブ係止部
１０ｂ    ケース天板
１０ｃ    第１のケース側板
１０ｄ    第２のケース側板
１０ｅ    第３のケース側板
１０ｆ    取付手段
【図１】
0003610391.tif 000002
【図２】
0003610391.tif 000003
【図３】
0003610391.tif 000004
【図４】
0003610391.tif 000005
【図５】
0003610391.tif 000006
【図６】
0003610391.tif 000007
【図７】
0003610391.tif 000008
【図８】
0003610391.tif 000009